(57)【特許請求の範囲】
【請求項１】
手摺り本体と、上方及び下方に凸部接合部を有する手摺り子本体と、該手摺り子本体を手摺り本体、踏み板に取付け固定する手摺り固定体とからなる階段用手摺ユニットであって、
前記手摺り子本体は、上方において手摺り本体に配設された凹部接合部と嵌合する凸部接合部を有し、かつ下方において踏み板に形設された凹部接合部と嵌合する凸部接合部を有し、前記手摺り固定体は、前記手摺りと踏み板の凹部接合部と、これに対応した手摺り子本体の上方及び下方の凸部接合部とからなり、
前記手摺り本体に形成した凹部接合部及び前記踏み板上に形成した凹部接合部は蟻掛け凹部であり、前記手摺り子本体の凸部接合部は、前記上下の凹部接合部に対応した蟻掛け凸部とされ、
前記手摺り本体の蟻掛け凹部は、前記踏み板と平行な方向であって、該階段用手摺ユニットの上昇方向側に開口した奥付き溝形状であり、前記踏み板の蟻掛け凹部は、前記手摺り本体の蟻掛け凹部と平行な方向であって、逆側に開口した奥付き溝形状であり、
前記手摺り子本体の蟻掛け凸部を前記手摺り本体の蟻掛け凹部と前記踏み板の蟻掛け凹部とに嵌合させた後に、
前記踏み板の蟻掛け凹部の残余部に木栓を嵌合させ、前記踏み板の該蟻掛け凹部を含む部分をステップで覆ったことを特徴とする階段用手摺ユニット。
【発明の詳細な説明】
【０００１】
【発明の属する技術分野】
本発明は、着脱自在で、迅速容易に取付け固定でき施工性及び外観美感に優れた階段用手摺ユニットに関するものである。
【０００２】
【従来の技術】
従来、階段としては、例えば箱階段、側桁階段、力桁階段、ささら桁階段などの各種階段がある。
そして、こらの各種階段には、非特許文献１（図１１）に示すごとく、手摺り子本体９１（笠木とも呼ばれている）と、これを支える手摺り本体９２と、この手摺り本体９２の下方部は踏み板４に支承されている。手摺り本体９２の上方部は、取付け金具９２３を介して釘打ちにより手摺り子本体の下方部に取付け固定されている。また、手摺り本体９２の下方部はボルトとナット９２５とワッシャー９２４などを介して踏み板４に設けた貫通穴４０内に取付け固定されている。
【０００３】
一方、洋風階段としては、図１２に示すごとく、踏み板４に凹部穴４１を配設して、この凹部穴４１内に手摺り子本体９２の下方凸部９２１を嵌合することにより、踏み板４上に手摺り子本体９２を立設している。
また、手摺り子本体９２の上方部は、手摺り本体９１の取付け欠き部９１０に接着剤を介して取付け固定されている。
【０００４】
そして、図１３に示すごとく、断面円形状の手摺り本体９１は、ブラケット９６を介して見切板９７に釘打ちにより取付け固定されている。
他方、特許文献２によれば、図１４に示すごとく、上記断面円形状の手摺り本体の手摺継手金具８が開示されている。この手摺継手金具８は、凸部接合部８１を凹部接合部８２内に嵌入して一体化するものである。
また、特許文献３によれば、図１５に示すごとく、「手摺ユニット７及びそれを用いた手摺り施工方法」が開示されている。
【０００５】
【非特許文献１】
「図解・木造建築入門」発行所（株）井上書院
【特許文献２】
特開平８−５３９１８号公報
【特許文献３】
特開平１１−５０６２８号公報
【０００６】
【発明が解決しようとする課題】
しかしながら、前記従来の階段用手摺又はその取付け金具には、下記に示すような課題がある。
まず、非特許文献１に開示された階段用手摺ユニット９は、図１１に示すごとく、手摺り子本体９２の取付け固定作業が複雑であり、外観見栄えが良くない。
次に、洋風階段（図１２に開示された階段）９は、凹部穴４１及び下方凸部９２１の深さが小さい場合には、接着剤のみの取付け固定では、手摺り子本体９２が容易に取り外れることがある。
【０００７】
一方、特許文献２に開示された断面円形状の手摺継手金具８は、凹凸嵌合接合が完全に一体結合されるため、着脱自在ではなく、修理取り替え時に不便である。
また、特許文献３に開示され「手摺りユニット７及びそれを用いた手摺の施工方法」は、取付け場所が階段側壁に限られたものであり、多数のユニット部材７０、７１、７２を必要とし、取付け施工が簡単でない。
【０００８】
そこで本発明は、前記従来の問題点に鑑みてなされたものであって、その課題は、着脱自在で迅速容易に取付け固定でき迅速容易及び外観美感に優れた階段用手摺ユニット及びその取付構造を提供しようとするものである。
【０００９】
【課題を解決するための手段】
前記課題を解決するため、本発明が採った手段は、下記の通りである。以下に説明する。
【００１０】
請求項１に記載の発明が採った手段は、手摺り本体と、上方及び下方に凸部接合部を有する手摺り子本体と、該手摺り子本体を手摺り本体、踏み板に取付け固定する手摺り固定体とからなる階段用手摺ユニットであって、
前記手摺り子本体は、上方において手摺り本体に配設された凹部接合部と嵌合する凸部接合部を有し、かつ下方において踏み板に形設された凹部接合部と嵌合する凸部接合部を有し、前記手摺り固定体は、前記手摺りと踏み板の凹部接合部と、これに対応した手摺り子本体の上方及び下方の凸部接合部とからなり、
前記手摺り本体に形成した凹部接合部及び前記踏み板上に形成した凹部接合部は蟻掛け凹部であり、前記手摺り子本体の凸部接合部は、前記上下の凹部接合部に対応した蟻掛け凸部とされ、
前記手摺り本体の蟻掛け凹部は、前記踏み板と平行な方向であって、該階段用手摺ユニットの上昇方向側に開口した奥付き溝形状であり、前記踏み板の蟻掛け凹部は、前記手摺り本体の蟻掛け凹部と平行な方向であって、逆側に開口した奥付き溝形状であり、
前記手摺り子本体の蟻掛け凸部を前記手摺り本体の蟻掛け凹部と前記踏み板の蟻掛け凹部とに嵌合させた後に、
前記踏み板の蟻掛け凹部の残余部に木栓を嵌合させ、前記踏み板の該蟻掛け凹部を含む部分をステップで覆ったことを特徴とする。
【００１１】
【００１２】
【００１３】
【００１４】
【００１５】
【００１６】
【００１７】
【００１８】
【発明の実施の形態】
本発明の実施の形態を図面に基づきながら、請求項１及び実施例１〜３と対応させながら、具体的かつ詳細に本発明の実施態様を共に説明する。
【００１９】
まず、本発明の階段用手摺ユニット１、２、３は、手摺り本体１１、２７、３１と、上方及び下方に凹凸接合部を有する手摺り子本体１２、２１、３３と、該手摺り子本体１２、２１、２３を踏み板４及び手摺り本体１１、２７、３１に取付け固定する手摺り固定体１３、１４等とからなる（図１、図２、図５参照）。
図１は、実施例１に係る階段用手摺ユニット１であって、その中央部における断面図を示すものである。
手摺り本体１１は、図１０に示すごとく、各種形状の断面を有する。そして、手摺り本体１１は例えば集成材、特に木材繊維が多方向に配設された寸法安定木材、ホルマール木材、強化木材などにより構成する。また、手摺り本体１１は、各種プラスチックにより構成することが出来る。この場合は、所定形状のものを押出又は射出成形する。
そして、手摺り本体１１の内部に形成された凹部接合部１０は、上記集成材等により所定形状の手摺り本体１１を製造するに当り、その接合面（鎖線部分）１１０、２７０より刻設することが好ましい。凹部接合部１０は後述する手摺り子本体１２の上部において形成された頭部円柱部１３４、コイルバネ内蔵突出玉係合体１４１及び突出円柱部１４３からなる凸部接合部１４を嵌入できる大きさとスペースを有する。そのため、凹部接合部１０は、頭部円柱部１３４、コイルバネ内蔵突出玉係合体１４１及び突出円柱部１４３と相似形か、これよりも若干大き目の対応形状であることが好ましい。
【００２０】
次に、前記コイルバネ内蔵突出玉係合体１４１は、例えば金属製の円筒状体の内部にコイルバネ１４４を有し、その両端部において、金属製の球状物１４６（パチンコ又はベアリング玉の如き球状物）が略全体の３分の１位突出した出入可能な係合具である。そして、手摺り子本体１２は細長い円筒状物よりなる。そして、この円筒状物は、金属又はプラスチックスよりなる。金属製のものは、例えば鋳造成形する。プラスチックス製のものは、押出成形又は射出成形する。
【００２１】
ここで注目すべきことは、前記手摺り子本体１２は、上方部において、前記コイルバネ内蔵突出玉係合体１４１及び突出円柱部１４３、頭部円柱部１３４を有すると共に、下方部において、外側と内側とに同ピッチの螺条溝又は螺条突起部が形成された螺状円柱部１２１を有することである。これにより、手摺り子本体１２の全体を回転させながら、手摺り固定体１３に形成された螺条溝１３１を有する螺状環形凹部１３２内に嵌合して、手摺り子本体１２が手摺り固定体１３上に立設されることになる。なお、螺状環形凹部１３２の下方には、釘穴が設けられている。
【００２２】
前記手摺り固定体１３は、金属製又はプラスチックスにより構成することが出来る。金属製の手摺り固定体１３は、例えば鋳造又は金属加工により形成する。プラスチックス製の手摺り固定体１３は、押出成形又は射出成形する。
そして、手摺り固定体１３は、踏み板４又は側板上（図示略）に手摺り固定体１３と略同形又は若干大き目の相似形の環状体凹部１３２を形成し、ねじ釘６及び必要に応じて接着材５により取付け固定する。
なお、手摺り固定体１３と踏み板４との間に形成された係合境線は、前記手摺り子本体１２の下方部に形成された切り欠き状鍔部１２８により全体が被覆される。これにより、踏み板４上に立設された手摺り子本体１２は、見栄えが良く、外観美感性に優れたものとなる。
【００２３】
次に、図２〜図４に示すごとく、階段用手摺ユニット２は、手摺り本体２１と、手摺り子本体２１と、踏み板４上に形成されたコイルバネ内蔵環状体２９とよりなる。
図２に示すごとく、手摺り子本体２１は、上方部において、円柱部２２及び頭部２２１を有する。これは、実施例２に対応するものである。
また、手摺り子本体２１は、図２に示すごとく、下方部において、楕円状翼部２４及び螺状円柱部２８を有する。また、楕円状翼部２４は、螺状円柱部２８よりも上方に設けられ、手摺り子本体２１の下方部において嵌合されている。
【００２４】
次に、図３の上段図は、階段用手摺ユニット２に係る手摺り本体２７の中央部断面図の一部であって、鎖線部分の接合部２７０は手摺り本体２７の接合部分である。
そして、円錐状凹部２０は手摺り本体２７の接合面側より刻設される。なお、板ばね凹部集合体２００は、凹部接合部２０を中心に放射線状に配設されている（図３の下段図）。この図３の下段図は、手摺り本体２１（図３の上段図）を下側より見た底面図である。
また、板ばね集合体２７０は、各々上段花びら変形体２７１、２７２を８枚と下段花びら変形体２７３、２７４を８枚とを凹部接合部２０を中心に花びら（花弁）又は放射線状に配設してある。
【００２５】
また、図４は、コイルバネ内蔵環状体２９の踏み板４上に配設された状態を示す平面図である。
そこで、図２の下段図であるコイルバネ内蔵環状体２９の断面図及び図４のコイルバネ内蔵環状体２９の平面図に対応させながら、コイルバネ内蔵環状体２９の形状構造及び機能について説明する。
まず、図２の下段図（断面図）において、手摺り固定体２９としてのコイルバネ内蔵環状体２９は、中央部に手摺り子本体２１の下方部に配設された螺状円柱部２８が嵌合する螺状円筒凹部２９９を有し、その外周縁近傍に環状体凹部２９０を有する。そして、該環状体凹部２９０にはねじ釘６が嵌入できるねじ穴を有する。
また、手摺り固定体２９としてのコイルバネ内蔵環状体２９は、前記螺状円筒凹部２９９の下方と、これと連なる手摺り固定体２９の内部には、前記手摺り子本体２１の下方に配設された楕円状翼部２４が挿入できる楕円状翼部挿入凹部２９２を有する。この楕円状翼部挿入凹部２９２は、図２及び図４に示すごとく、上方部が細長の楕円状翼部挿入穴２９４と、これと連通する円筒穴２９７と、楕円状翼部本体挿入穴２９９と連通する。
【００２６】
ここで注目すべきことは、楕円状翼部挿入凹部２９２は、一部が図４（平面図）に示すごとく、扁平な楕円の両端一部であり、他の一部は円形が連通していることである。そのため、コイルバネ内蔵環状体２９は、その一部が楕円状翼部係止部２９５であり、他の部分はこれと連通する円形ドーム状形状により構成されていることである。
したがって、楕円状翼部挿入凹部２９２は、図２に示すごとく、その上方部において、円筒上部２４２と、その下方部において、これと連なる楕円状翼部係止穴２９４と、該楕円状翼部係止穴２９４の上方部において、楕円状翼部２４の係止突起部２４１に対応した楕円状翼部係止部２９５とからなる断面形状を有する。
【００２７】
さらに注目すべきことは、楕円状翼部挿入穴２９４の底面部にはコイルバネ２９１の付勢力により上下に移動する楕円状翼部付勢板２９８を有することである。
そして、この楕円状翼部付勢板２９８の中央部には、図２及び図４に示すごとく、螺状円筒凹部２９９を有する。この螺状円筒凹部２９９は、図２に示すごとく、手摺り子本体２１の最下方先端部の螺状円柱部２８を嵌合しながら、手摺り子本体２１を回転させて楕円状翼部２４が所定の位置まで回動させる役目を果すものである。これにより、楕円状翼部２５は楕円状翼部係止穴２９４の円状翼部係止部２９５の位置まで移動し、手摺り子本体２１を手摺り固定体２９内において立設させることが出来る。
【００２８】
したがって、楕円状翼部係止穴２９４の下方には、コイルバネ２９１を内蔵した円筒状凹部２９１０が形成されている。そして、コイルバネ２９１は、手摺り子本体２１を下方に押し込む際には弾縮し、その後は上方に付勢力が働くよう弾伸する。これにより、手摺り子本体２１は楕円状翼部係止穴２９４内において楕円状翼部２４が係止して手摺り固定体２９において立設することになる。なお、図２及び図４において、コイルバネ内蔵環状体２９は、踏み板４の凹部穴内に、ねじ釘６又は必要に応じて接着剤５によって取付け固定される。
【００２９】
また、前記断面傘状覆蓋体２５は、図２に示すごとく、鎖線部分まで下方移動してコイルバネ内蔵環状体２９及び凹部穴の全体を被覆することになる。これにより、手摺り子本体２１は見栄えが良く、外観美感に優れた状態で踏み板４上に立設されることになる。
そのため、本発明によれば、外観美感に優れた階段用手摺ユニット２を提供することが出来る。
【００３０】
次に、図５〜図９に示すごとく、階段用手摺ユニット３は手摺り本体３１と、手摺り子本体３３と、踏み板４に形成された凹部接合部としての蟻掛け凹部４１とよりなる。
手摺り本体３１は、図７に示すごとく、段付蟻掛け凹部３００を有する。
この段付蟻掛け凹部３００は、図７に示すごとく、扁平状穴３０１と逆円錐体穴３０３及び長方体穴３０２との結合穴よりなる。そして、手摺り本体３１が木製である場合には、接合面側又は底面凹部切欠部（図示略）より刻設する。また、手摺り本体３１がプラスチック製の場合には、押出成形又は射出成形する。
【００３１】
また、図８に示すごとく、踏み板４には一端部側より蟻掛け凹部４１を形成する。そして、図８に示すごとく、手摺り子３３を嵌合し立設した後には、木栓３２を嵌入する。
手摺り子本体３３は、図６に示すごとく、上方部において段付蟻ほぞ凸部３３０、３３１からなる凸部接合部３４を有し、下方部において蟻ほぞ凸部３３２を有する。
階段用手摺ユニット３の取付構造としては、図５に示すごとく、手摺り本体３１に形成した凹部接合部としての段付蟻掛け凹部３００に、前記段付蟻掛け凸部３３０、３３１を挿入する。この段付蟻掛け凸部３３０、３３１を嵌入した部分以外の凹部接合部３００には木栓３５を装入する。
【００３２】
一方、手摺り子本体３３の下方においては、図９に示すごとく、踏み板４に形成した蟻掛け凹部４１内に、前記蟻ほぞ凸部３３２を嵌入する。
また、踏み板４の全端部にはゴム製又は合成樹脂製のステップ４２を装着する。これにより、図８及び図９に示すごとく、蟻掛け凹部４１は上記ステップ４２により全体が被覆される。これにより、踏み板４上において、見栄えの良い手摺り子本体３３が立設される。そのため、本発明の階段用手摺ユニット３は、着脱自在及び外観美感に優れる階段用手摺ユニット３を提供することが出来る。なお、前述のごとく、蟻掛け凹部４１のうち、手摺り子本体３３が立設された部分の残部には木栓３２を装入する。また、図５において、踏み板４には踏込み板４３を形成し、また踏み板４は受け台４５を介して力桁４４により支承する。
【００３３】
また、図１０は、前記手摺り本体１１、２７、３１の各種形状を示す断面図である。（イ）は略かまぼこ形、（ロ）は略円形、（ハ）は略扁形、（ニ）はかまぼこ変形、（ホ）は略楕円形、（ヘ）は逆台形のそれぞれの形状の断面を示したものである。
【００３４】
以下、本発明の最ましい実施例について図面を参照しながら、具体的に説明する。なお、下記の実施例は、本発明の一実施態様であるから、本発明の技術的範囲はこれに制約されるものではない。
【００３５】
（実施例１）
本例の階段用手摺ユニット１は、図１に示すごとく、手摺り本体１１と、手摺り子本体１２と、手摺り固定体１３としての螺合環状体１３０よりなる。
手摺り本体１１は、集成材により構成し、略かまぼこ形の断面を有する。そして、手摺り本体１１の接合面１１０側より刻設した所定形状の凹部接合部１０を有する。この所定形状とは、手摺り子本体１２の上方部に形成した頭部円柱部１３４、コイルバネ内蔵突出玉係合体１４１及び突出円柱部１４３との結合体が嵌入することが出来る凹部接合部１０のことである。なお、本例における手摺り本体１１には、その両端部に手握部１１１が形成してある。これにより、手摺本体１１を握り易くなる。
【００３６】
手摺り子本体１２は、プラスチック製の円筒状物よりなる。そして、手摺り子本体１２の上方部には、上記コイルバネ内蔵突出玉係合体１４１を有する突出円柱部１４３等が嵌合してある。
また、手摺り子本体１２の下方部においては、凸部接合部としての螺合突出部１２１を有する。また、その周縁部には、取付け欠き鍔部１２８を有する。
【００３７】
一方、踏み板４は、手摺り固定体としての螺合環状体１３０を嵌入する挿入用凹部１３２を有する。この螺合環状体１３０は、ねじ釘６及び接着剤５により踏み板４上に取付け固定する。
前記螺合環状体１３０は、中央部において螺状突出円柱部１３１と該螺状突出円柱部１３０の外周縁に形成された螺状環形凹部１３２を有する。この螺合環状体１３０も手摺り子本体１２と同様に、ポリスチレン成形品、塩化ビニル成形品、ポリエチレン成形品などの各種プラスチックス成形品により構成する。
【００３８】
階段用手摺ユニット１の取付構造としては、図１に示すごとく、まず手摺り子本体１２を回転させながら、下方部に形成した螺合突出部１２１を螺合環状体１３０の螺状環形凹部１３２内に嵌合する。これにより、この螺合環状体１３０及び挿入用凹部４０及び接着剤５などの全体は、手摺り子本体１２の下方部に形成された取付け欠き鍔部１２８により被覆される。これにより本例によれば、踏み板４上に見栄えが良く手摺り子本体１２を立設することが出来る。
また、本例によれば螺合突出部１２１を螺合環状体１３０より嵌合を解消して取り外すことにより、着脱自在な階段用手摺ユニット１を得ることが出来る。
【００３９】
一方、その後において、手摺り子本体１２の凸部接合部１４と、手摺り本体１１の凹部接合部１０とを接合するに当っては、踏み板４上に立設した手摺り子本体１２の上方に形成された頭部円柱部１３４、コイルバネ内蔵突出玉係合体１４１を有する突出円柱部１４３に手摺り本体１１の凹部接合部１０を覆いかぶせるように矢印方向に押し下げて、凸部接合部１４と凹部接合部１０とを嵌合させる。
これにより、本例によれば、着脱自在で迅速容易に取付け固定で施工性及び外観美感に優れた階段用手摺ユニット１を得ることが出来る。
【００４０】
（実施例２）
本例の階段用手摺ユニット２は、図２〜図４に示すごとく、手摺り本体２７と、手摺り子本体２１と、手摺り固定体２９とよりなる。
図２において、手摺り子本体２１は、上方部において、リング状突出係合体２２０、頭部円柱部２２０及び突出円柱部２２を有する。
また、手摺り子本体２１は下方部において、楕円状翼部２４及び螺状円柱部２８を有する。また、この楕円状翼部２４及び螺状円柱部２８よりもやや上方部において、断面傘状覆蓋体２５が螺条部２５１に嵌合された状態で装着されている。
【００４１】
一方、手摺り本体２７は、図３に示すごとく、円錐状の凹部接合部２０を有する。
この円錐状凹部２０は、手摺り本体２１の接合面２７０を中心に形成してある。手摺り本体２７の接合面側より円錐状の凹部接合部２０を刻設する。
手摺り本体２７は、桧により構成する。そして、手摺り本体２７内には、図３に示すごとく、板ばね集合体２００が装着してある。この板ばね集合体２００は、図３の下段図（平面図）に示すごとく、凹部接合部２０を中心とする花びら状に上段花びら変形体２７１、２７２と下段花びら変形体２７３、２７４をそれぞれ配設して形成される。図３の上段図（断面図）に示すごとく、円錐状凹部２００内において、中心部において、手摺り子本体２１の上方部に形成された頭部２３、リング状突出係合体２４及び突出円柱部２２が係止できるよう上下左右対称に配設されている。
【００４２】
一方、手摺り固定体２９としてのコイルバネ内蔵環状体２９は、図２及び図４に示すごとく、中央部において、楕円状翼部挿入凹部２９２と、該楕円状翼部挿入凹部２９２の外周縁部に形成された環状体凹部２９０とを有する。
また、上記楕円状翼部挿入凹部２９２は、図２及び図４に示すごとく、コイルバネ内蔵環状体２９の内部に形成された楕円状翼部挿入穴２９４に連通している。そして、該楕円状翼部挿入穴２９４の底部においては、その下方部に配設したコイルバネ２９１により上方へ付勢される楕円状翼部付勢板２９８を有する。
この楕円状翼部付勢板２９８は、図２及び図４に示すごとく、その中央部において、手摺り子本体２１の最下方部に形成された螺状円柱部２８が嵌合する螺合円筒穴２９９を有する。
【００４３】
そして、上記楕円状翼部本体挿入穴２９４は、図４に示すごとく、一部が扁平な楕円の両端一部であり、他の一部は円形の連通部である。また、楕円状翼部本体挿入穴２９４の中心部には、前記螺合円筒穴２９９が位置する。
また、前述のごとく、上記楕円状翼部挿入凹部２９２の外周縁近傍には、環状体凹部２９０を有する。この環状体凹部２９０は、コイルバネ内蔵環状体２９を踏み板４に取付け固定するためのねじ穴を有する。そして、このねじ穴を介してねじ釘６を、図２及び図４に示すごとく、螺合環状体２９０を踏み板４上に取付け固定する。なお、踏み板には、図２に示すごとく、凹部穴４０を設け、この凹部穴４０内にコイルバネ内蔵環状体２９をねじ釘６及び必要に応じて接着剤５により取付け固定する。
【００４４】
したがって、階段用手摺ユニット２の取付構造としては、図２〜図４に示すごとく、手摺り子本体２１の上方部においては、該手摺り子本体２１の上方部に形成したリング状突出係合体２４を有する頭部円柱体２３及び突出円柱体２２を板ばね係止嵌合体２００内に挿入する。
一方、手摺り子本体２１は、図２に示すごとく、螺状円柱部２８を螺合円筒穴２９９内に嵌合しながらコイルバネ２９１の付勢力に抗して下方へ押し込む。その後、手摺り子本体２１を４５度から９０度近く回動させる。これにより、図４に示すごとく、楕円状翼部２４は所定の位置に於いて係止する。これにより、手摺り子本体２１はコイルバネ内蔵環状体２９に立設すると共に、断面傘状覆蓋体２５が踏み板４の凹部穴４１及び接着剤５などを被覆し、見栄えが良くなり、外観美感性に優れることになる。
したがって、本例によれば、着脱自在で迅速容易に取付け固定で施工性及び外観美感に優れた階段用手摺ユニット２を得ることが出来る。その他は、実施例１と同様に構成した。
【００４５】
（実施例３）
本例の階段用手摺ユニット３は、図５〜図９に示すごとく、手摺り本体３１と、手摺り子本体３３と、踏み板４に設けた蟻掛け状凹部４１とよりなる。手摺り本体３１は、実施例１と同様に集成材により構成し、図５及び図７に示すごとく、凹部接合部としての段付蟻掛け凹部３００を形成する。
一方、踏み板４には、図８に示すごとく、一端部より蟻掛け凹部４１を形成する。
【００４６】
上記手摺り子本体３３は、図５及び図６に示すごとく、上方部において段付き蟻掛け凸部３４を有し、下方部において蟻掛け凸部３３２を有する。
そのため、階段用手摺ユニット３の取付構造は、図５に示すごとく、上方部において、手摺り本体３３の凹部接合部としての段付蟻掛け凹部３００と、上記段付き蟻掛け凸部３４とが嵌合する。また、手摺り子本体３３の下方部においては、図５及び図９に示すごとく、踏み板４に形成した蟻掛け凹部４１内に、蟻掛け凸部３３２を嵌合する。その後、蟻掛け凹部４１の残部には木栓３２を装着する。
これにより、踏み板４上に手摺り子本体３３が立設した階段用手摺ユニット３を得ることが出来る。また、図５及び図９に示すごとく、踏み板４の前端部においては、ゴム製又はプラスチックス製のステップ４２を装着する。これにより、踏み板４の蟻掛け凹部４１及び木栓３２は被覆される。
従って、本例によれば、着脱自在で迅速容易に取付け固定で施工性及び外観美感に優れた階段用手摺ユニット３をえることが出来る。その他は、実施例１と同様に構成した。
【００４７】
【発明の効果】
本発明は、以上説明したごとく、請求項１に記載した手段を採用しているため、下記に示すような諸々の効果を発揮することが出来る。
まず、請求項１に記載された発明によれば、着脱自在で迅速容易に取付け固定で施工性及び外観美感に優れた階段用手摺ユニット３を得ることが出来る。
【００４８】
【００４９】
【００５０】
【００５１】
【００５２】
【図面の簡単な説明】
【図１】実施例１に係る階段用手摺ユニットの中央断面図である。
【図２】実施例２に係る階段用手摺ユニットの中央部の一部断面図である。
【図３】上段図が実施例２における手摺り本体の一部断面図、下段図がこれに対応する底面図である。
【図４】実施例２における手摺り固定体の平面図である。
【図５】実施例３に係る階段用手摺ユニットの一部断面図である。
【図６】実施例３に係る手摺り子本体の中央断面図である。
【図７】実施例３における手摺り本体のＡ−Ａ線の一部断面図である。
【図８】実施例３における踏み板の一部斜視図である。
【図９】実施例３における踏板に手摺子を立設し、その近傍にステップを貼着した状態の斜視図である。
【図１０】本発明において使用する手摺り本体の断面図である。
【図１１】従来の階段用手摺ユニットの一部斜視図である。
【図１２】従来の階段用手摺ユニットの一部斜視図である。
【図１３】上段図は従来の階段用手摺ユニットの一部斜視図である。また、下段図は、従来の階段用手摺ユニットの一部断面図である。
【図１４】特許文献２に開示された階段用手摺ユニットの斜視図である。
【図１５】特許文献３に開示された階段用手摺ユニットの斜視図である。
【符号の説明】
１、２、３ 階段用手摺ユニット
１１、２７、３１ 手摺り本体
１２、２１、３３ 手摺り子本体
１３、２９ 手摺り固定体
１０、２０、３０ 凹部接合部
１４、２２、３４ 凸部接合部
【図１】
0003760236.tif 000002
【図２】
0003760236.tif 000003
【図３】
0003760236.tif 000004
【図４】
0003760236.tif 000005
【図５】
0003760236.tif 000006
【図６】
0003760236.tif 000007
【図７】
0003760236.tif 000008
【図８】
0003760236.tif 000009
【図９】
0003760236.tif 000010
【図１０】
0003760236.tif 000011
【図１１】
0003760236.tif 000012
【図１２】
0003760236.tif 000013
【図１３】
0003760236.tif 000014
【図１４】
0003760236.tif 000015
【図１５】
0003760236.tif 000016